(57)【要約】      （修正有）【課題】貯水ダムが不要な水力発電装置を提供する。【解決手段】海、湖、又は、池等の水中に、空気入り浮きタンク９を浮かべ、水管１を設置し、水管１の底部にタービン２および発電機モーター３を設置する。発電機モーター３は防水カバー４で覆おう。水管１の上部の管内密閉及び落下水口８から水を落下させ、タービン２を回し、発電を行う。水中に設置する事により、豊富な水量を使用でき、貯水ダムが不要である。【選択図】図１
2016089599.tif 000002
【特許請求の範囲】
【請求項１】
（１）管底を筒抜けに開口する、又は、大きく開口します。この管下部の周囲にコンクリート製の（１１）重りを、管と一体にして取り付け設けます。この管内及び、下部に（２）タービンと、（３）発電機モーターを設けます。
この（１）管の上部に（１０）エアーホース、及び、エアー管と（１４）仕切板と（８）密閉弁、及び、落水口と（１４）仕切板の下部に（１３）ゴム筒を設けた物品、及び、形態を水中で発電するための（１）水管とする方法です。
【請求項２】
（１）水管を水中に沈め設置するために、（１）管底の開口部から水中の水を自然的に管内に取り込みます。又は、注水等をして水管を所定の水中に沈めて、垂直状態に設置する方法です。
【請求項３】
設置した（１）水管内の水を抜き取るために、（１０−１）エアバルブから空気を管内に注入します。そして、（６−１）管内水位まで空気圧で水を押し下げて、管底の開口部から排水する方法です。
【請求項４】
管内の水を（６−１）水位まで押し下げた管内空気を、管外に漏れ出ない様にするために、（１）水管の上部を（１４）仕切板で密閉します。又は、（８）密閉弁、及び、落水口等を施して管内空気を密閉し保持する方法です。
【請求項５】
管内を密閉した後に、（１）水管上部の（７）取水口から水中の水を自然的に吸い込み、及び、流し込みます。そして（８）密閉弁、及び、落水口を開いて水を落下させます。この落下水を（１３）ゴム筒の中に通過させます。そして、空気が外部に漏れ出ない様に、ゴムの伸縮力により空気を遮断させる方法です。
【請求項６】
落下水の水力、及び、水圧により（２）タービンを回転させます。このタービンの回転を（３）発電機モーターに伝動して、発電機モーターを回転させて、発電機モーターから電気を発生させる方法です。
【請求項７】
（２）タービンを回転させて落下した落下水の水力、及び、水圧により落下水を自然的に管底へと押し下げて、管底の筒抜けにした開口部から自然的に管外へと排水させる方法です。
【請求項８】
（１）水管の下部にコンクリート製の（１１）重りを水管と一体にして取り付け設けます。
（１）水管上部の波の上下の動き、又は、潮位の上下等に合わせて、浮沈みさせる為の上下する（９）空気タンクと、水管の周囲に密着した（１２）空気タンク等を設けて（１）水管の浮沈みの調整をする。又は、水管の垂直状態を増幅させる等のバランス調整をする方法です。
【発明の詳細な説明】
【技術分野】
【０００１】（１）海、湖、又は、池等の水中に、水力発電をする為のタービンと発電機モーターとを、管内に施した１００ｍ〜２００ｍ位の長さの水管を水中に沈め、垂直状態に設置し保持させる技術分野です。
（２）水管を水中に沈め設置する為に水管内に水中の水を自然的に取り込む、又は、注水をします。
そして、水管を沈めた後に、水を管内に落下させる為に管内の水抜きをします。この水抜きをするために管内に空気を注入して、この空気圧により水を管底へと押し下げて、管底の開口部から水抜きをする技術分野です。
（３）水抜きをした水管は浮力を発生します。
この浮力を重り、又は、空気タンク等を設けて浮力と垂直度を調整します。そして、水管を垂直状態に保持させる技術分野です。
（４）設置した水管の上部から、水中の水を自然的に吸い込み流しこみます。
この水を落下水として管内を落下させます。この落下水の水力、及び、水圧によりタービンを回転させます。このタービンの回転を発電機モーターに伝動して、発電機モーターを回転させて、発電機モーターから電気を発生させる技術分野です。
（５）タービンを回転させて落下した落下水の水力、及び、水圧により落下水を自然的に管底へと押し下げて、管底の筒抜けに開けた部分から自然的に排水させる技術分野です。
【背景技術】
【０００２】（１）山間部の上部に水を確保するために、貯水ダムを設けた水力発電所があります。
（２）上部の貯水ダムから放流し、発電させた放流水を下部の貯水ダムにため込んで、再び、この水を汲み上げて上部の貯水ダムに戻す揚水発電所があります。
（３）谷川及び、川等の水流をせき止めて発電をする小規模水力発電があります。
【発明の開示】
【発明が解決しようとする課題】
【０００３】（１）豊富な水量を確保する為に、貯水ダムを設ける課題です。
（２）水流をせき止める課題です。
（３）水力発電を建設する為に自然の破綻の課題です。
（４）ダム内に土砂が流れ込みたまる課題です。
【課題を解決するための手段】
【０００４】（１）海、湖、又は、池等の水中に水力発電をするためのながさが１００ｍ〜２００ｍ位の水管を立てにして、垂直状態にして水中に沈め設置します。
この状態、及び、バランスを保持させる手段です。
（２）水管を水中に沈める為に水管内に注水をする。又は、水を取り込んで所定の水中に水管を沈めて垂直状態に設置する手段です。
（３）設置した水管内の水を抜き取る為、又は、次なる工程の管内を落下水させるために水管内に空気を注入します。この空気圧により水を管底へと押し下げて管底の開口部から水抜き、及び、排水する手段です。
（４）水管内の水を抜き取ると、水管に浮力が発生します。この浮力を低減させる、及び、垂直度を増幅させるために、水管下部の周囲にコンクリート製の重りを管と一体にして設ける手段です。
水管上部に波の上下、又は、潮位の上下等の動きに合わせる為の空気タンク等を設けて、水管の垂直度のバランスを図る手段です。
（５）バランスを保持した水管の上部から水中の水を自然的に吸い込んで流し込み、水管の中を落下させる手段です。
この落下水の水力、及び、水圧によりタービンを回転させます。このタービンの回転を発電機モーターに伝動して、発電機モーターを回転させて、発電機モーターから電気を発生させる手段です。
（６）タービンを回転させて、排水する落下水の水力、及び、水圧により管底へと落下水を自然的に押し下げて、管底の筒抜けにした開口部から自然的に排水をする手段です。
（７）水を落下させた時に管内の空気が管外に吹き出す。又は、もれ出す事を防ぐために、伸縮のある先細にしたゴム筒の中を落下水を通過させます。そして、ゴムの伸縮力により空気漏れを遮断させる手段です。
（８）水力発電をするために水を汲み上げるポンプと、発電した後の水を排水させるためのポンプ等を使用しない手段です。
（９）（１）水管内の機密度を保ち保持させるために水管の上部に密閉用の仕切板と密閉用の密閉弁等を設ける手段です。
（１０）水管の上部、又は、下部等をいかりとワイヤーロープ等で引っ張り、所定の位置に保持させる手段です。
【発明の効果】
【０００５】（１）水力発電するための水管を豊富にある水中に設置する事により、豊富な水量を確保し、多量に使用出来る効果です。
（２）水力発電をするための水を自然的に吸い込み流し込む、又は、発電した後の水の排水を自然的に管底へと排水する効果です。
（３）発電するための水を汲み上げるポンプ、又は、使用済みの水を排水するためのポンプ等を使用しない効果です。
（４）発電のために使用した水を元の水中に戻す効果です。
【発明を実施するための最良の形態】
【０００６】
【実施例１】図に示す（１）管底に自然的に水中の水を取り込む為、又は、自然的に管内の排水を水中にするために、（１）管底を筒抜けに開口します。又は、大きく開口します。
この（１）管内、及び、下部に（２）タービンと（３）発電機モーターを設けます。この（１）管の上部に管内空気を密閉させるために、（１４）上部仕切板を設けます。この（１４）仕切板の上部に密閉する為の（８）密閉弁、及び、落水口と仕切板の下部に落下水時に管内空気が管外にもれる、又は、流れ出すのを防ぐために、空気を遮断させるための先端を細くした（１３）ゴム筒を設けます。この（１）管内に水中の水を自然的に吸い込み、又は、取り組むための（７）取水口と（１）管内に空気を注入するための（１０−１）エアーバルブ等を設けた（１）管を水中で発電させるための、本発明の（１）水管とする形態です。
【実施例２】（１）水管を所定の位置に沈めて設置する為に（１）水管内に水を管底から取り込む、又は、注水等をして水中に水管を沈めます。そして（６）水位の水中に沈め垂直状態に設置し、保持させる形態です。
【実施例３】沈め設置した（１）水管内の水を抜き取るために（１）水管内に（１０−１）エアーバルブから空気を管内に注入します。
そして空気圧により水を管底へと押し下げて、（２）タービン下の（６−１）管内水位まで押し下げて、筒抜けに開けた開口部から排水させる形態です。
【実施例４】水抜きした後の（１）水管内の空気を管上部からもれ出す事を防ぐために、管上部を（１４）仕切板で仕切る。又は、（８）管内密閉弁及び、落水口等を設けて、管内の空気の密閉と保持をする形態です
【実施例５】密閉し保持した後の（１）水管上部の（７）取水口から水中の水を自然的に吸い込み流し込んで、（８）密閉弁を開き水を落下させる形態です。この落下水を（１３）ゴム筒の中を通過させます。この通過時にゴム筒の伸縮力により管内空気が管外にもれ出す、及び、流れ出す事を遮断させる手段です。
【実施例６】落下水の水力、及び、水圧により（２）タービンを回転させます。このタービンの回転を（３）発電機モーターに伝動します。そして、発電機モーターを回転させて、発電機モーターから電気を発生させる手段です。
【実施例７】（２）タービンを回転させて、落下した落下水の水力、及び、水圧により落下水を自然的に管底へと押し下げて、管底の筒抜けに開けた開口部から自然的に管外へ排水させる形態です
【実施例８】（１）水管の水中での浮沈みとのバランスと、垂直状態の垂直度バランス等の調整を図る為に、（１）水管下部の周囲にコンクリート製の（１１）重りを水管と一体になる様に設けます。と（１）水管の垂直度を増幅させるために（１）水管の上部に波の上下の動き、又は、潮位の上下に合わせる（９）空気浮きタンクと水管周囲に密着させるための（１２）空気タンク等を設けて（１）水管のバランス調整をして保持させる形態です。
【実施例９】（１）水管を所定の位置に保持する為に、水管の上部、又は、下部等をいかりとロープワイヤー等で引っ張り安定させる形態です。
【産業上の利用可能性】
【０００７】海、湖、又は、池等の水中に設置して、水力発電として利用可能です。
【図面の簡単な説明】
【０００８】
【図１】図面は（１）水管の断面図と水管の立体図です。
【符号の説明】
【０００９】（１）      水管
（２）      タービン
（３）      発電機モーター
（４）      防水カバー
（５）      架台
（６）      水位及び水面
（６−１）  管内水位
（７）      取水口
（８）      管内密閉及び落下水口
（９）      空気入り浮きタンク
（１０）    エアーホース、及びエアー管
（１０−１）エアーバルブ
（１１）    管底重り
（１２）    空気タンク
（１３）    ゴム筒
（１４）    上部仕切板
【図１】
2016089599.tif 000003